【手続補正書】
【提出日】平成23年6月9日(2011.6.9)
【手続補正１】
【補正対象書類名】特許請求の範囲
【補正対象項目名】全文
【補正方法】変更
【補正の内容】
【特許請求の範囲】
【請求項１】
印刷可能なユーザのユーザ識別情報と対応付けて印刷データを管理する印刷制御サーバと、前記印刷データの印刷を行う画像形成装置とがネットワークを介して通信可能な印刷制御システムであって、
前記印刷制御サーバは、
前記ユーザ識別情報と前記印刷データと当該印刷データの印刷先となっている画像形成装置の識別情報とを対応付けて記憶する記憶手段と、
前記画像形成装置からユーザ識別情報を受信することで、前記ユーザ識別情報に対応する前記印刷データの印刷先となっている画像形成装置の識別情報を含む印刷データ情報の一覧情報を前記画像形成装置に送信する印刷データ情報一覧送信手段と
を備え、
前記画像形成装置は、
当該画像形成装置へのログインに際して入力されたユーザ識別情報を前記印刷制御サーバに送信することで、当該ユーザ識別情報に対応する印刷データの印刷先となっている画像形成装置の識別情報を含む印刷データ情報を受信する印刷データ情報受信手段と、
前記印刷データ情報受信手段で受信した印刷データ情報に含まれる印刷データの印刷先となっている画像形成装置の識別情報に従って、当該画像形成装置で印刷可能な印刷データと印刷先が当該画像形成装置と異なっている当該画像形成装置で印刷できない印刷データとを識別する識別手段と、
前記識別手段の識別結果に従って、当該画像形成装置で印刷可能な印刷データの表示と印刷先が当該画像形成装置と異なっている当該画像形成装置で印刷できない印刷データの表示とを実行する表示手段と
を備えることを特徴とする印刷制御システム。
【請求項２】
前記印刷制御サーバは、
前記画像形成装置での即時印刷指定に従って、当該画像形成装置と異なる印刷先となっている印刷データに対して、即時印刷設定する即時印刷設定手段と、
前記画像形成装置からユーザ識別情報を受信することで、当該画像形成装置に対して即時印刷設定されている前記ユーザ識別情報に対応する即時印刷の印刷データがあるか否かを判定する即時印刷判定手段と、
前記即時印刷判定手段で、即時印刷の印刷データがあると判定された場合、前記画像形成装置へ前記即時印刷の印刷データを送信する第１の印刷データ送信手段と
を更に備え、
前記画像形成装置は、
当該画像形成装置へのログインに際して入力されたユーザ識別情報を前記印刷制御サーバに送信することで、前記即時印刷の印刷データを受信する印刷データ受信手段と、
前記即時印刷の印刷データを印刷する印刷手段と、
当該画像形成装置と異なる印刷先となっている印刷データに対して、即時印刷指定を行う即時印刷指定手段と
を更に備えることを特徴とする請求項１に記載の印刷制御システム。
【請求項３】
前記前記印刷制御サーバは、
前記即時印刷判定手段で、即時印刷の印刷データがないと判定された場合、前記画像形成装置へ即時印刷設定されていない印刷データを送信する第２の印刷データ送信手段
を更に備え、
前記画像形成装置の前記印刷データ受信手段は、前記即時印刷設定されていない印刷データを受信し、
前記画像形成装置の前記印刷手段は、前記即時印刷指定されていない印刷データを印刷することを特徴とする請求項２に記載の印刷制御システム。
【請求項４】
前記画像形成装置は、
前記印刷データ情報受信手段で受信した印刷データ情報から、ユーザの操作に応じて印刷データを選択する印刷データ選択手段と、
前記印刷データ選択手段で選択された印刷データを印刷する画像形成装置を選択する画像形成装置選択手段と、
前記即時印刷指定手段で即時印刷指定され、前記画像形成装置選択手段で印刷する画像形成装置が選択された、前記印刷データ選択手段で選択された印刷データの印刷データ情報を前記印刷制御サーバに送信する印刷データ情報送信手段と
をさらに備え、
前記印刷制御サーバは、
前記印刷データ情報を受信する印刷データ情報受信手段を更に備え
前記即時印刷設定手段は、前記印刷データ情報受信手段で受信した印刷データ情報に対応する印刷データを、前記画像形成装置選択手段で選択された画像形成装置で即時印刷すべく、前記記憶手段に記憶されている印刷先の画像形成装置の識別情報を前記画像形成装置選択手段で選択された画像形成装置の識別情報に変更する
ことを特徴とする請求項３に記載の印刷制御システム。
【請求項５】
前記画像形成装置は、
前記印刷データ選択手段で選択した印刷データを、当該画像形成装置と異なる画像形成装置で印刷可能にするべく予約印刷指定する予約印刷指定手段
をさらに備え、
前記印刷制御サーバは、
前記予約印刷指定手段で予約印刷指定された印刷データに対して予約印刷設定する予約印刷設定手段
をさらに備えることを特徴とする請求項４に記載の印刷制御システム。
【請求項６】
前記画像形成装置選択手段は、前記印刷データの印刷先となりうる画像形成装置が変更された場合、前記印刷データの即時印刷または予約印刷を指定可能にすること
を特徴とする請求項５に記載の印刷制御システム。
【請求項７】
前記画像形成装置は、
前記印刷データ選択手段で選択された印刷データを印刷指示する印刷指示手段を更に備え、
前記印刷データ情報送信手段は、前記印刷指示手段で印刷指示された印刷データの印刷データ情報を送信し、
前記印刷制御サーバの前記印刷データ情報受信手段は、前記印刷指示された印刷データの印刷データ情報を受信し、
前記第２の印刷データ送信は、前記印刷データ情報受信手段で受信した印刷データ情報に従って、前記画像形成装置に印刷すべく前記印刷データ情報に対応する印刷データを送信すること
を特徴とする請求項３乃至請求項６のいずれか１項に記載の印刷制御システム。
【請求項８】
前記第１の印刷データ送信手段または前記第２の印刷データ送信手段は、前記印刷データが前記印刷データ情報を送信した画像形成装置に依存する形式の印刷データである場合には、当該画像形成装置に前記印刷データを出力し、前記印刷データが前記印刷データ情報を送信した画像形成装置に依存しない形式の印刷データである場合には、当該印刷データを印刷する画像形成装置に対応するプリンタドライバを介して出力する
ことを特徴とする請求項３乃至請求項７のいずれか１項に記載の印刷制御システム。
【請求項９】
前記記憶手段で記憶する前記印刷データは、印刷データの印刷データ識別情報であることを特徴とし、
前記印刷制御サーバは、
前記記憶手段を備える印刷管理サーバと、前記記憶手段に記憶される前記印刷データ識別情報に対応する印刷データの蓄積及び当該印刷データの配信を行う配信サーバと、前記ユーザの認証を行う認証サーバとから構成されること
を特徴とする請求項１乃至請求項８のいずれか１項に記載の印刷制御システム。
【請求項１０】
画像形成装置とネットワークを介して通信可能な、印刷可能なユーザのユーザ識別情報と対応付けて印刷データを管理する印刷制御サーバであって、
前記ユーザ識別情報と前記印刷データと当該印刷データの印刷先となっている画像形成装置の識別情報とを対応付けて記憶する記憶手段と、
前記画像形成装置から、当該画像形成装置へのログインに際して入力されたユーザ識別情報を受信することで、前記印刷データの印刷先となっている画像形成装置の識別情報に従って、当該画像形成装置で印刷可能な印刷データと印刷先が当該画像形成装置と異なっている当該画像形成装置で印刷できない印刷データを識別可能に表示すべく、前記ユーザ識別情報に対応する前記印刷データの印刷先となっている画像形成装置の識別情報を含む印刷データ情報の一覧情報を前記画像形成装置に送信する印刷データ情報一覧送信手段と
を備えることを特徴とする印刷制御サーバ。
【請求項１１】
印刷可能なユーザのユーザ識別情報と印刷データの印刷先となっている画像形成装置の識別情報とを対応付けて印刷データを管理する印刷制御サーバとネットワークを介して通信可能な画像形成装置であって、
当該画像形成装置へのログインに際して入力されたユーザ識別情報を前記印刷制御サーバに送信することで、当該ユーザ識別情報に対応する印刷データの印刷先となっている画像形成装置の識別情報を含む印刷データ情報を受信する印刷データ情報受信手段と、
前記印刷データ情報受信手段で受信した印刷データ情報に含まれる印刷データの印刷先となっている画像形成装置の識別情報に従って、当該画像形成装置で印刷可能な印刷データと印刷先が当該画像形成装置と異なっている当該画像形成装置で印刷できない印刷データとを識別する識別手段と、
前記識別手段の識別結果に従って、当該画像形成装置で印刷可能な印刷データの表示と印刷先が当該画像形成装置と異なっている当該画像形成装置で印刷できない印刷データの表示とを実行する表示手段と
を備えることを特徴とする画像形成装置。
【請求項１２】
印刷可能なユーザのユーザ識別情報と印刷データの印刷先となっている画像形成装置の識別情報とを対応付けて印刷データを管理する印刷制御サーバと、前記印刷データの印刷を行う画像形成装置とがネットワークを介して通信可能な印刷制御システムにおける処理方法であって、
前記印刷制御サーバが、
前記画像形成装置からユーザ識別情報を受信することで、前記ユーザ識別情報に対応する前記印刷データの印刷先となっている画像形成装置の識別情報を含む印刷データ情報の一覧情報を前記画像形成装置に送信する印刷データ情報一覧送信ステップと
を含み、
前記画像形成装置が、
当該画像形成装置へのログインに際して入力されたユーザ識別情報を前記印刷制御サーバに送信することで、当該ユーザ識別情報に対応する印刷データの印刷先となっている画像形成装置の識別情報を含む印刷データ情報を受信する印刷データ情報受信ステップと、
前記印刷データ情報受信ステップで受信した印刷データ情報に含まれる印刷データの印刷先となっている画像形成装置の識別情報に従って、当該画像形成装置で印刷可能な印刷データと印刷先が当該画像形成装置と異なっている当該画像形成装置で印刷できない印刷データとを識別する識別ステップと、
前記識別ステップの識別結果に従って、当該画像形成装置で印刷可能な印刷データの表示と印刷先が当該画像形成装置と異なっている当該画像形成装置で印刷できない印刷データの表示とを実行する表示ステップと
を含むことを特徴とする印刷制御システムにおける処理方法。
【請求項１３】
画像形成装置とネットワークを介して通信可能な、印刷可能なユーザのユーザ識別情報と対応付けて印刷データを管理する印刷制御サーバにおける処理方法であって、
前記ユーザ識別情報と前記印刷データと当該印刷データの印刷先となっている画像形成装置の識別情報とを対応付けて記憶する記憶ステップと、
前記画像形成装置から、当該画像形成装置へのログインに際して入力されたユーザ識別情報を受信することで、前記印刷データの印刷先となっている画像形成装置の識別情報に従って、当該画像形成装置で印刷可能な印刷データと印刷先が当該画像形成装置と異なっている当該画像形成装置で印刷できない印刷データを識別可能に表示すべく、前記ユーザ識別情報に対応する前記印刷データの印刷先となっている画像形成装置の識別情報を含む印刷データ情報の一覧情報を前記画像形成装置に送信する印刷データ情報一覧送信ステップと
を含むことを特徴とする印刷制御サーバにおける処理方法。
【請求項１４】
印刷可能なユーザのユーザ識別情報と印刷データの印刷先となっている画像形成装置の識別情報とを対応付けて印刷データを管理する印刷制御サーバとネットワークを介して通信可能な画像形成装置における処理方法であって、
当該画像形成装置へのログインに際して入力されたユーザ識別情報を前記印刷制御サーバに送信することで、当該ユーザ識別情報に対応する印刷データの印刷先となっている画像形成装置の識別情報を含む印刷データ情報を受信する印刷データ情報受信ステップと、
前記印刷データ情報受信ステップで受信した印刷データ情報に含まれる印刷データの印刷先となっている画像形成装置の識別情報に従って、当該画像形成装置で印刷可能な印刷データと印刷先が当該画像形成装置と異なっている当該画像形成装置で印刷できない印刷データとを識別する識別ステップと、
前記識別ステップの識別結果に従って、当該画像形成装置で印刷可能な印刷データの表示と印刷先が当該画像形成装置と異なっている当該画像形成装置で印刷できない印刷データの表示とを実行する表示ステップとを含むことを特徴とする画像形成装置における処理方法。
【請求項１５】
印刷可能なユーザのユーザ識別情報と対応付けて印刷データを管理する印刷制御サーバと、前記印刷データの印刷を行う画像形成装置とがネットワークを介して通信可能な印刷制御システムにおけるプログラムであって、
前記印刷制御サーバを、
前記ユーザ識別情報と前記印刷データと当該印刷データの印刷先となっている画像形成装置の識別情報とを対応付けて記憶する記憶手段と、
前記画像形成装置からユーザ識別情報を受信することで、前記ユーザ識別情報に対応する前記印刷データの印刷先となっている画像形成装置の識別情報を含む印刷データ情報の一覧情報を前記画像形成装置に送信する印刷データ情報一覧送信手段と
して機能させ、
前記画像形成装置を、
当該画像形成装置へのログインに際して入力されたユーザ識別情報を前記印刷制御サーバに送信することで、当該ユーザ識別情報に対応する印刷データの印刷先となっている画像形成装置の識別情報を含む印刷データ情報を受信する印刷データ情報受信手段と、
前記印刷データ情報受信手段で受信した印刷データ情報に含まれる印刷データの印刷先となっている画像形成装置の識別情報に従って、当該画像形成装置で印刷可能な印刷データと印刷先が当該画像形成装置と異なっている当該画像形成装置で印刷できない印刷データとを識別する識別手段と、
前記識別手段の識別結果に従って、当該画像形成装置で印刷可能な印刷データの表示と印刷先が当該画像形成装置と異なっている当該画像形成装置で印刷できない印刷データの表示とを実行する表示手段と
して機能させることを特徴とするプログラム。
【請求項１６】
画像形成装置とネットワークを介して通信可能な、印刷可能なユーザのユーザ識別情報と対応付けて印刷データを管理する印刷制御サーバを、
前記ユーザ識別情報と前記印刷データと当該印刷データの印刷先となっている画像形成装置の識別情報とを対応付けて記憶する記憶手段と、
前記画像形成装置から、当該画像形成装置へのログインに際して入力されたユーザ識別情報を受信することで、前記印刷データの印刷先となっている画像形成装置の識別情報に従って、当該画像形成装置で印刷可能な印刷データと印刷先が当該画像形成装置と異なっている当該画像形成装置で印刷できない印刷データを識別可能に表示すべく、前記ユーザ識別情報に対応する前記印刷データの印刷先となっている画像形成装置の識別情報を含む印刷データ情報の一覧情報を前記画像形成装置に送信する印刷データ情報一覧送信手段と
して機能させることを特徴とするプログラム。
【請求項１７】
印刷可能なユーザのユーザ識別情報と印刷データの印刷先となっている画像形成装置の識別情報とを対応付けて印刷データを管理する印刷制御サーバとネットワークを介して通信可能な画像形成装置を、
当該画像形成装置へのログインに際して入力されたユーザ識別情報を前記印刷制御サーバに送信することで、当該ユーザ識別情報に対応する印刷データの印刷先となっている画像形成装置の識別情報を含む印刷データ情報を受信する印刷データ情報受信手段と、
前記印刷データ情報受信手段で受信した印刷データ情報に含まれる印刷データの印刷先となっている画像形成装置の識別情報に従って、当該画像形成装置で印刷可能な印刷データと印刷先が当該画像形成装置と異なっている当該画像形成装置で印刷できない印刷データとを識別する識別手段と、
前記識別手段の識別結果に従って、当該画像形成装置で印刷可能な印刷データの表示と印刷先が当該画像形成装置と異なっている当該画像形成装置で印刷できない印刷データの表示とを実行する表示手段と
して機能させることを特徴とするプログラム。
【手続補正２】
【補正対象書類名】明細書
【補正対象項目名】００１０
【補正方法】変更
【補正の内容】
【００１０】
本発明の目的は、画像形成装置にログインしたユーザが印刷可能なデータを、印刷データの印刷先となっている画像形成装置の識別情報に従って、ログインした画像形成装置で印刷可能であるかを識別表示させることができる仕組みを提供することである。
また、その他の目的は、ユーザがログインした画像形成装置から、他の画像形成装置に対して印刷要求することができる仕組みを提供することである。
さらに、その他の目的は、リッチな表示部を備えないプリンタで、印刷制御サーバに蓄積されている印刷データのうちの一部を即時印刷することができる仕組みを提供することである。
【手続補正３】
【補正対象書類名】明細書
【補正対象項目名】００１１
【補正方法】変更
【補正の内容】
【００１１】
前述した目的を達成するために第１の発明は、印刷可能なユーザのユーザ識別情報と対応付けて印刷データを管理する印刷制御サーバと、前記印刷データの印刷を行う画像形成装置とがネットワークを介して通信可能な印刷制御システムであって、前記印刷制御サーバは、前記ユーザ識別情報と前記印刷データと当該印刷データの印刷先となっている画像形成装置の識別情報とを対応付けて記憶する記憶手段と、前記画像形成装置からユーザ識別情報を受信することで、前記ユーザ識別情報に対応する前記印刷データの印刷先となっている画像形成装置の識別情報を含む印刷データ情報の一覧情報を前記画像形成装置に送信する印刷データ情報一覧送信手段とを備え、前記画像形成装置は、当該画像形成装置へのログインに際して入力されたユーザ識別情報を前記印刷制御サーバに送信することで、当該ユーザ識別情報に対応する印刷データの印刷先となっている画像形成装置の識別情報を含む印刷データ情報を受信する印刷データ情報受信手段と、前記印刷データ情報受信手段で受信した印刷データ情報に含まれる印刷データの印刷先となっている画像形成装置の識別情報に従って、当該画像形成装置で印刷可能な印刷データと印刷先が当該画像形成装置と異なっている当該画像形成装置で印刷できない印刷データとを識別する識別手段と、前記識別手段の識別結果に従って、当該画像形成装置で印刷可能な印刷データの表示と印刷先が当該画像形成装置と異なっている当該画像形成装置で印刷できない印刷データの表示とを実行する表示手段とを備えることを特徴とする印刷制御システムである。
【手続補正４】
【補正対象書類名】明細書
【補正対象項目名】００１２
【補正方法】変更
【補正の内容】
【００１２】
第１の発明の印刷制御システムでは、印刷制御サーバは、ユーザ識別情報と印刷データと印刷データの印刷先となっている画像形成装置情報とを対応付けて記憶手段に記憶する。画像形成装置は、入力されたユーザ識別情報を印刷制御サーバに送信し、印刷制御サーバは、印刷装置からユーザ識別情報を受信する。印刷制御サーバは、受信したユーザ識別情報に従って、記憶手段に記憶される情報からユーザ識別情報に対応する印刷データの印刷先となっている画像形成装置の識別情報を含む印刷データ情報の一覧情報を画像形成装置に送信する。画像形成装置は、受信した印刷データ情報に含まれる印刷データの印刷先となっている画像形成装置の識別情報に従って、当該画像形成装置で印刷可能な印刷データと印刷先が当該画像形成装置と異なっている当該画像形成装置で印刷できない印刷データとを識別し、識別結果に従って、当該画像形成装置で印刷可能な印刷データの表示と印刷先が当該画像形成装置と異なっている当該画像形成装置で印刷できない印刷データの表示とを実行する。
【手続補正５】
【補正対象書類名】明細書
【補正対象項目名】００１３
【補正方法】変更
【補正の内容】
【００１３】
また、前記印刷制御サーバは、前記画像形成装置での即時印刷指定に従って、当該画像形成装置と異なる印刷先となっている印刷データに対して、即時印刷設定する即時印刷設定手段と、前記画像形成装置からユーザ識別情報を受信することで、当該画像形成装置に対して即時印刷設定されている前記ユーザ識別情報に対応する即時印刷の印刷データがあるか否かを判定する即時印刷判定手段と、前記即時印刷判定手段で、即時印刷の印刷データがあると判定された場合、前記画像形成装置へ前記即時印刷の印刷データを送信する第１の印刷データ送信手段とを更に備え、前記画像形成装置は、当該画像形成装置へのログインに際して入力されたユーザ識別情報を前記印刷制御サーバに送信することで、前記即時印刷の印刷データを受信する印刷データ受信手段と、前記即時印刷の印刷データを印刷する印刷手段と、当該画像形成装置と異なる印刷先となっている印刷データに対して、即時印刷指定を行う即時印刷指定手段とを更に備えることが望ましい。
【手続補正６】
【補正対象書類名】明細書
【補正対象項目名】００１４
【補正方法】変更
【補正の内容】
【００１４】
さらに、前記前記印刷制御サーバは、前記即時印刷判定手段で、即時印刷の印刷データがないと判定された場合、前記画像形成装置へ即時印刷設定されていない印刷データを送信する第２の印刷データ送信手段を更に備え、前記画像形成装置の前記印刷データ受信手段は、前記即時印刷設定されていない印刷データを受信し、前記画像形成装置の前記印刷手段は、前記即時印刷指定されていない印刷データを印刷することが望ましい。
【手続補正７】
【補正対象書類名】明細書
【補正対象項目名】００１５
【補正方法】変更
【補正の内容】
【００１５】
また、前記画像形成装置は、前記印刷データ情報受信手段で受信した印刷データ情報から、ユーザの操作に応じて印刷データを選択する印刷データ選択手段と、前記印刷データ選択手段で選択された印刷データを印刷する画像形成装置を選択する画像形成装置選択手段と、前記即時印刷指定手段で即時印刷指定され、前記画像形成装置選択手段で印刷する画像形成装置が選択された、前記印刷データ選択手段で選択された印刷データの印刷データ情報を前記印刷制御サーバに送信する印刷データ情報送信手段とをさらに備え、前記印刷制御サーバは、前記印刷データ情報を受信する印刷データ情報受信手段を更に備え、前記即時印刷設定手段は、前記印刷データ情報受信手段で受信した印刷データ情報に対応する印刷データを、前記画像形成装置選択手段で選択された画像形成装置で即時印刷すべく、前記記憶手段に記憶されている印刷先の画像形成装置の識別情報を前記画像形成装置選択手段で選択された画像形成装置の識別情報に変更することが望ましい。
【手続補正８】
【補正対象書類名】明細書
【補正対象項目名】００１６
【補正方法】変更
【補正の内容】
【００１６】
また、前記画像形成装置は、前記印刷データ選択手段で選択した印刷データを、当該画像形成装置と異なる画像形成装置で印刷可能にするべく予約印刷指定する予約印刷指定手段をさらに備え、前記印刷制御サーバは、前記予約印刷指定手段で予約印刷指定された印刷データに対して予約印刷設定する予約印刷設定手段をさらに備えることが望ましい。
また、前記画像形成装置選択手段は、前記印刷データの印刷先となりうる画像形成装置が変更された場合、前記印刷データの即時印刷または予約印刷を指定可能にすることが望ましい。
また、前記画像形成装置は、前記印刷データ選択手段で選択された印刷データを印刷指示する印刷指示手段を更に備え、前記印刷データ情報送信手段は、前記印刷指示手段で印刷指示された印刷データの印刷データ情報を送信し、前記印刷制御サーバの前記印刷データ情報受信手段は、前記印刷指示された印刷データの印刷データ情報を受信し、前記第２の印刷データ送信は、前記印刷データ情報受信手段で受信した印刷データ情報に従って、前記画像形成装置に印刷すべく前記印刷データ情報に対応する印刷データを送信することが望ましい。
【手続補正９】
【補正対象書類名】明細書
【補正対象項目名】００１７
【補正方法】変更
【補正の内容】
【００１７】
また、前記記憶手段で記憶する前記印刷データは、印刷データの印刷データ識別情報であることを特徴とし、前記印刷制御サーバは、前記記憶手段を備える印刷管理サーバと、前記記憶手段に記憶される前記印刷データ識別情報に対応する印刷データの蓄積及び当該印刷データの配信を行う配信サーバと、前記ユーザの認証を行う認証サーバとから構成されることが望ましい。
【手続補正１０】
【補正対象書類名】明細書
【補正対象項目名】００１９
【補正方法】変更
【補正の内容】
【００１９】
第２の発明は、画像形成装置とネットワークを介して通信可能な、印刷可能なユーザのユーザ識別情報と対応付けて印刷データを管理する印刷制御サーバであって、前記ユーザ識別情報と前記印刷データと当該印刷データの印刷先となっている画像形成装置の識別情報とを対応付けて記憶する記憶手段と、前記画像形成装置から、当該画像形成装置へのログインに際して入力されたユーザ識別情報を受信することで、前記印刷データの印刷先となっている画像形成装置の識別情報に従って、当該画像形成装置で印刷可能な印刷データと印刷先が当該画像形成装置と異なっている当該画像形成装置で印刷できない印刷データを識別可能に表示すべく、前記ユーザ識別情報に対応する前記印刷データの印刷先となっている画像形成装置の識別情報を含む印刷データ情報の一覧情報を前記画像形成装置に送信する印刷データ情報一覧送信手段とを備えることを特徴とする印刷制御サーバである。
第２の発明は、第１の発明の印刷制御システムにおける印刷制御サーバに関する発明である。
【手続補正１１】
【補正対象書類名】明細書
【補正対象項目名】００２０
【補正方法】変更
【補正の内容】
【００２０】
第３の発明は、印刷可能なユーザのユーザ識別情報と印刷データの印刷先となっている画像形成装置の識別情報とを対応付けて印刷データを管理する印刷制御サーバとネットワークを介して通信可能な画像形成装置であって、当該画像形成装置へのログインに際して入力されたユーザ識別情報を前記印刷制御サーバに送信することで、当該ユーザ識別情報に対応する印刷データの印刷先となっている画像形成装置の識別情報を含む印刷データ情報を受信する印刷データ情報受信手段と、前記印刷データ情報受信手段で受信した印刷データ情報に含まれる印刷データの印刷先となっている画像形成装置の識別情報に従って、当該画像形成装置で印刷可能な印刷データと印刷先が当該画像形成装置と異なっている当該画像形成装置で印刷できない印刷データとを識別する識別手段と、前記識別手段の識別結果に従って、当該画像形成装置で印刷可能な印刷データの表示と印刷先が当該画像形成装置と異なっている当該画像形成装置で印刷できない印刷データの表示とを実行する表示手段とを備えることを特徴とする画像形成装置である。
第３の発明は、第１の発明の印刷制御システムにおける画像形成装置に関する発明である。
【手続補正１２】
【補正対象書類名】明細書
【補正対象項目名】００２１
【補正方法】変更
【補正の内容】
【００２１】
第４の発明は、印刷可能なユーザのユーザ識別情報と印刷データの印刷先となっている画像形成装置の識別情報とを対応付けて印刷データを管理する印刷制御サーバと、前記印刷データの印刷を行う画像形成装置とがネットワークを介して通信可能な印刷制御システムにおける処理方法であって、前記印刷制御サーバが、前記画像形成装置からユーザ識別情報を受信することで、前記ユーザ識別情報に対応する前記印刷データの印刷先となっている画像形成装置の識別情報を含む印刷データ情報の一覧情報を前記画像形成装置に送信する印刷データ情報一覧送信ステップとを含み、前記画像形成装置が、当該画像形成装置へのログインに際して入力されたユーザ識別情報を前記印刷制御サーバに送信することで、当該ユーザ識別情報に対応する印刷データの印刷先となっている画像形成装置の識別情報を含む印刷データ情報を受信する印刷データ情報受信ステップと、前記印刷データ情報受信ステップで受信した印刷データ情報に含まれる印刷データの印刷先となっている画像形成装置の識別情報に従って、当該画像形成装置で印刷可能な印刷データと印刷先が当該画像形成装置と異なっている当該画像形成装置で印刷できない印刷データとを識別する識別ステップと、前記識別ステップの識別結果に従って、当該画像形成装置で印刷可能な印刷データの表示と印刷先が当該画像形成装置と異なっている当該画像形成装置で印刷できない印刷データの表示とを実行する表示ステップとを含むことを特徴とする印刷制御システムにおける処理方法である。
第４の発明は、第１の発明の印刷制御システムにおける処理方法に関する発明である。
【手続補正１３】
【補正対象書類名】明細書
【補正対象項目名】００２２
【補正方法】変更
【補正の内容】
【００２２】
第５の発明は、画像形成装置とネットワークを介して通信可能な、印刷可能なユーザのユーザ識別情報と対応付けて印刷データを管理する印刷制御サーバにおける処理方法であって、前記ユーザ識別情報と前記印刷データと当該印刷データの印刷先となっている画像形成装置の識別情報とを対応付けて記憶する記憶ステップと、前記画像形成装置から、当該画像形成装置へのログインに際して入力されたユーザ識別情報を受信することで、前記印刷データの印刷先となっている画像形成装置の識別情報に従って、当該画像形成装置で印刷可能な印刷データと印刷先が当該画像形成装置と異なっている当該画像形成装置で印刷できない印刷データを識別可能に表示すべく、前記ユーザ識別情報に対応する前記印刷データの印刷先となっている画像形成装置の識別情報を含む印刷データ情報の一覧情報を前記画像形成装置に送信する印刷データ情報一覧送信ステップとを含むことを特徴とする印刷制御サーバにおける処理方法である。
第５の発明は、第２の発明の印刷制御サーバにおける処理方法に関する発明である。
【手続補正１４】
【補正対象書類名】明細書
【補正対象項目名】００２３
【補正方法】変更
【補正の内容】
【００２３】
第６の発明は、印刷可能なユーザのユーザ識別情報と印刷データの印刷先となっている画像形成装置の識別情報とを対応付けて印刷データを管理する印刷制御サーバとネットワークを介して通信可能な画像形成装置における処理方法であって、当該画像形成装置へのログインに際して入力されたユーザ識別情報を前記印刷制御サーバに送信することで、当該ユーザ識別情報に対応する印刷データの印刷先となっている画像形成装置の識別情報を含む印刷データ情報を受信する印刷データ情報受信ステップと、前記印刷データ情報受信ステップで受信した印刷データ情報に含まれる印刷データの印刷先となっている画像形成装置の識別情報に従って、当該画像形成装置で印刷可能な印刷データと印刷先が当該画像形成装置と異なっている当該画像形成装置で印刷できない印刷データとを識別する識別ステップと、前記識別ステップの識別結果に従って、当該画像形成装置で印刷可能な印刷データの表示と印刷先が当該画像形成装置と異なっている当該画像形成装置で印刷できない印刷データの表示とを実行する表示ステップとを含むことを特徴とする画像形成装置における処理方法である。
第６の発明は、第３の発明の画像形成装置における処理方法に関する発明である。
【手続補正１５】
【補正対象書類名】明細書
【補正対象項目名】００２４
【補正方法】変更
【補正の内容】
【００２４】
第７の発明は、印刷可能なユーザのユーザ識別情報と対応付けて印刷データを管理する印刷制御サーバと、前記印刷データの印刷を行う画像形成装置とがネットワークを介して通信可能な印刷制御システムにおけるプログラムであって、前記印刷制御サーバを、前記ユーザ識別情報と前記印刷データと当該印刷データの印刷先となっている画像形成装置の識別情報とを対応付けて記憶する記憶手段と、前記画像形成装置からユーザ識別情報を受信することで、前記ユーザ識別情報に対応する前記印刷データの印刷先となっている画像形成装置の識別情報を含む印刷データ情報の一覧情報を前記画像形成装置に送信する印刷データ情報一覧送信手段として機能させ、前記画像形成装置を、当該画像形成装置へのログインに際して入力されたユーザ識別情報を前記印刷制御サーバに送信することで、当該ユーザ識別情報に対応する印刷データの印刷先となっている画像形成装置の識別情報を含む印刷データ情報を受信する印刷データ情報受信手段と、前記印刷データ情報受信手段で受信した印刷データ情報に含まれる印刷データの印刷先となっている画像形成装置の識別情報に従って、当該画像形成装置で印刷可能な印刷データと印刷先が当該画像形成装置と異なっている当該画像形成装置で印刷できない印刷データとを識別する識別手段と、前記識別手段の識別結果に従って、当該画像形成装置で印刷可能な印刷データの表示と印刷先が当該画像形成装置と異なっている当該画像形成装置で印刷できない印刷データの表示とを実行する表示手段として機能させることを特徴とするプログラムである。
尚、上記のプログラムをＣＤ−ＲＯＭ等の記録媒体に保持させて流通させてもよいし、このプログラムを通信回線を介して送受することもできる。
【手続補正１６】
【補正対象書類名】明細書
【補正対象項目名】００２５
【補正方法】変更
【補正の内容】
【００２５】
第８の発明は、画像形成装置とネットワークを介して通信可能な、印刷可能なユーザのユーザ識別情報と対応付けて印刷データを管理する印刷制御サーバを、前記ユーザ識別情報と前記印刷データと当該印刷データの印刷先となっている画像形成装置の識別情報とを対応付けて記憶する記憶手段と、前記画像形成装置から、当該画像形成装置へのログインに際して入力されたユーザ識別情報を受信することで、前記印刷データの印刷先となっている画像形成装置の識別情報に従って、当該画像形成装置で印刷可能な印刷データと印刷先が当該画像形成装置と異なっている当該画像形成装置で印刷できない印刷データを識別可能に表示すべく、前記ユーザ識別情報に対応する前記印刷データの印刷先となっている画像形成装置の識別情報を含む印刷データ情報の一覧情報を前記画像形成装置に送信する印刷データ情報一覧送信手段として機能させることを特徴とするプログラムである。
尚、上記のプログラムをＣＤ−ＲＯＭ等の記録媒体に保持させて流通させてもよいし、このプログラムを通信回線を介して送受することもできる。
【手続補正１７】
【補正対象書類名】明細書
【補正対象項目名】００２６
【補正方法】変更
【補正の内容】
【００２６】
第９の発明は、印刷可能なユーザのユーザ識別情報と印刷データの印刷先となっている画像形成装置の識別情報とを対応付けて印刷データを管理する印刷制御サーバとネットワークを介して通信可能な画像形成装置を、当該画像形成装置へのログインに際して入力されたユーザ識別情報を前記印刷制御サーバに送信することで、当該ユーザ識別情報に対応する印刷データの印刷先となっている画像形成装置の識別情報を含む印刷データ情報を受信する印刷データ情報受信手段と、前記印刷データ情報受信手段で受信した印刷データ情報に含まれる印刷データの印刷先となっている画像形成装置の識別情報に従って、当該画像形成装置で印刷可能な印刷データと印刷先が当該画像形成装置と異なっている当該画像形成装置で印刷できない印刷データとを識別する識別手段と、前記識別手段の識別結果に従って、当該画像形成装置で印刷可能な印刷データの表示と印刷先が当該画像形成装置と異なっている当該画像形成装置で印刷できない印刷データの表示とを実行する表示手段として機能させることを特徴とするプログラムである。
尚、上記のプログラムをＣＤ−ＲＯＭ等の記録媒体に保持させて流通させてもよいし、このプログラムを通信回線を介して送受することもできる。
【手続補正１８】
【補正対象書類名】明細書
【補正対象項目名】００２７
【補正方法】削除
【補正の内容】
【手続補正１９】
【補正対象書類名】明細書
【補正対象項目名】００２８
【補正方法】変更
【補正の内容】
【００２８】
本発明によれば、画像形成装置にログインしたユーザが印刷可能なデータを、印刷データの印刷先となっている画像形成装置の識別情報に従って、ログインした印刷装置で印刷可能であるかを識別表示させることができる仕組みを提供することができる。
また、ユーザがログインした画像形成装置から、他の画像形成刷装置に対しても印刷要求することができる仕組みを提供することができる。
さらに、リッチな表示部を備えないプリンタで、印刷制御サーバに蓄積されている印刷データのうちの一部を即時印刷することができる仕組みを提供することができる。